(57)【要約】【課題】表裏を統一した管理データを記録する記録再生装置を提供する。【解決手段】挿入された記録媒体２に対して、マイコン５が有する管理データ入出力処理部５１により、読み取り可能な面（以下表面）のデータを読み取り、管理データ作成部５２により表面の管理データを作成し、メモリー部６に一時記憶する。ユーザに、記録媒体２を反転するように報知したのち、反転を確認し、表面と同様に裏面のデータを読み取り、管理データを作成する。表面と裏面の管理データを統合した統合管理データを管理データ作成部により作成し、管理データ入出力処理部５１により記録媒体裏面に書き込む。書き込みが終了したら、記録媒体を反転するようユーザに報知し、表面であることを識別したら、表面に統合管理データを記録する。【選択図】図２
2007109348.tif 000002
【特許請求の範囲】
【請求項１】
ディスク状の記録媒体の記録及び再生手段と、前記記録媒体に記録される管理データを読み込む管理データ入力手段と、前記管理データを前記記録媒体に書き込む管理データ出力手段と、前記記録媒体に記録されるデータに基づいて前記管理データを作成する管理データ作成手段と、前記管理データ作成手段により作成される管理データを一時的に記憶する記憶手段とを備える記録再生装置において、前記管理データ入力手段により前記記録媒体表面の管理データを作成して前記記憶手段に記憶すると共に、一旦排出して反転した記録媒体裏面の管理データを作成して前記記憶手段に記憶することによって前記記憶媒体表面及び裏面の管理データを統合した管理データとして前記記憶手段に記憶し、前記記録媒体裏面に前記統合した管理データを記録し、記録媒体を再度排出及び反転させ、前記記録媒体表面に前記統合した管理データを記録することを特徴とする管理データ両面統一記録機能。
【請求項２】
前記管理データ作成手段は、裏面の管理データを作成する際、ユーザが複数種類の記録データの情報を取捨選択する選択手段を有することを特徴とする請求項１に記載の管理データ両面統一記録機能。
【請求項３】
請求項１又は２に記載の前記管理データ両面統一記録機能を備えることを特徴とする記録再生装置。
【発明の詳細な説明】
【技術分野】
【０００１】
本発明は、光ディスクに代表される盤状の両面記録可能な記録媒体を用いての記録及び再生を行う記録再生装置において、特に視聴面に記録する管理データと共に反対面の管理データを記録することができる記録再生装置に関する。
【背景技術】
【０００２】
従来、両面に記録可能なディスク状の記録媒体を用いる記録再生装置において、その記録面に記録されたデータの概要を示す管理データを、記録媒体に記録する方法や構成が存在する。
【０００３】
例えば、特許文献１では、光ディスクの表裏の記録面に、片面記録か両面記録かを識別する識別情報と、両面の場合どちらを最初に再生するべきかという再生順情報とを記録させ、再生時に記録再生装置により、それらの情報を読み出し、ユーザに両面記録かどうかを知らせ、両面の場合は現在の再生面と、表面再生時には裏面にデータがあるかどうかを報知するという方法が開示されている。
【０００４】
また、特許文献２では、光ディスクを挟むように２つのピックアップ部を配置し、挿入される両面再生可能な光ディスクの管理データを、２つのピックアップ部により両面同時に読み出し、先に再生すべき記録面からデータを読み出して再生を行うという構成が開示されている。
【０００５】
【特許文献１】特開２００１−６７８４１号公報
【特許文献２】特開平１０−２６９６８７号公報
【０００６】
しかしながら、特許文献１の方法では、両面再生可能な光ディスクを挿入された場合、データ読み出し可能な面と反対面のデータの有無を確認することはできるが、データの内容を知ることができず、これを知るためにはディスクを取り出し、反転させなくてはならない。
【０００７】
また、特許文献２の方法では、特別な作業をすることなく両面再生可能な光ディスクに対して、双方の面のデータを読み出すことができるが、装置全体が複雑且つ巨大になり、高コストとなってしまう。
【発明の開示】
【発明が解決しようとする課題】
【０００８】
本発明は上記課題を鑑みてなされたものであり、両面記録可能なディスク状記録媒体に対して、安価であり、且つ記録媒体を取り出すことなく、記録媒体両面のデータの有無及び大よその内容を、ユーザが判別することができる管理データを作成するための管理データ両面統一記録機能及びこれを備えた記録再生装置を提供することを目的とする。
【課題を解決するための手段】
【０００９】
請求項１に係る管理データ両面統一記録機能は、ディスク状の記録媒体の記録及び再生手段と、前記記録媒体に記録される管理データを読み込む管理データ入力手段と、前記管理データを前記記録媒体に書き込む管理データ出力手段と、前記記録媒体に記録されるデータに基づいて前記管理データを作成する管理データ作成手段と、前記管理データ作成手段により作成される管理データを一時的に記憶する記憶手段とを備える記録再生装置において、前記管理データ入力手段により前記記録媒体表面の管理データを作成して前記記憶手段に記憶すると共に、一旦排出して反転した記録媒体裏面の管理データを作成して前記記憶手段に記憶することによって前記記憶媒体表面及び裏面の管理データを統合した管理データとして前記記憶手段に記憶し、前記記録媒体裏面に前記統合した管理データを記録し、記録媒体を再度排出及び反転させ、前記記録媒体表面に前記統合した管理データを記録することを特徴とする。
【００１０】
請求項１の構成によれば、両面に記録可能なディスク状記録媒体の、一方の面（以下表面という）の管理データを読み込み、管理データ作成手段により管理データを作成すると共に記憶手段により作成した表面の管理データを一時的に記憶し、続いて記録媒体を反転させ、管理データ作成手段により記録媒体の他方の面（以下、裏面という）の管理データを作成すると共に同じく記憶手段により作成した裏面の管理データを記憶し、表面及び裏面の管理データを統合した管理データを、裏面に記録し、再び記録媒体を反転させ、表面に統合した管理データを記録することで、表面及び裏面に双方を統合した管理データを記録することができる。
【００１１】
請求項２に係る管理データ両面統一記録機能、請求項１に記載の管理データ両面統一機能において、前記管理データ作成手段は、裏面の管理データを作成する際、ユーザが複数種類の記録データの情報を取捨選択する選択手段を有することを特徴とする。
【００１２】
請求項２の構成によれば、記録する裏面の管理データを構成する複数の情報から、ユーザが所望の情報を選択することができる。
【００１３】
請求項３に係る記録再生装置は、請求項１又は２に記載の前記管理データ両面統一記録機能を備えることを特徴とする。
【００１４】
請求項３の構成によれば、記録再生装置は、管理データを作成する際に、請求項１又は２に記載の管理データ両面統一記録機能を使用することができる。
【発明の効果】
【００１５】
請求項１に係る管理データ両面統一記録機能は、ディスク状の記録媒体の記録及び再生手段と、前記記録媒体に記録される管理データを読み込む管理データ入力手段と、前記管理データを前記記録媒体に書き込む管理データ出力手段と、前記記録媒体に記録されるデータに基づいて前記管理データを作成する管理データ作成手段と、前記管理データ作成手段により作成される管理データを一時的に記憶する記憶手段とを備える記録再生装置において、前記管理データ入力手段により前記記録媒体表面の管理データを作成して前記記憶手段に記憶すると共に、一旦排出して反転した記録媒体裏面の管理データを作成して前記記憶手段に記憶することによって前記記憶媒体表面及び裏面の管理データを統合した管理データとして前記記憶手段に記憶し、前記記録媒体裏面に前記統合した管理データを記録し、記録媒体を再度排出及び反転させ、前記記録媒体表面に前記統合した管理データを記録するので、この機能を用いて管理データを作成した記録媒体は、例えば記録媒体の表面の管理データを閲覧しているときでも、裏面に記録された情報の閲覧を、記録媒体の挿抜することなく行うことができ、ユーザの利便性が向上する。
【００１６】
請求項２に係る管理データ両面統一記録機能、請求項１に記載の管理データ両面統一機能において、前記管理データ作成手段は、裏面の管理データを作成する際、ユーザが複数種類の記録データの情報を取捨選択する選択手段を有するので、裏面に記録する管理データを構成する複数の情報から、ユーザが所望の情報を選択することができ、ユーザが必要な情報のみを管理データとして記録させることができる。
【００１７】
請求項３に係る記録再生装置は、請求項１又は２に記載の前記管理データ両面統一記録機能を備えるので、記録媒体の管理データを作成する際に、表面には裏面の、裏面には表面の管理データを、それぞれの面の管理データと共に記録することができ、この記録媒体の管理データを閲覧する際に、記録媒体を入れ替える必要がなく、例えばユーザが記録媒体に記録されたデータの確認を行う際に、表面若しくは裏面のどちらか一方の管理データを閲覧するだけで、この記録媒体の表裏に記録されているデータを、記録媒体を入れ替えることなく容易に識別することができる。
【発明を実施するための最良の形態】
【００１８】
以下、本発明を実施するための最良の形態としての実施例を図１から図４を参照して説明する。もちろん、本発明は、その発明の趣旨に反さない範囲で、実施例において説明した以外のものに対しても容易に適用可能なことは説明を要するまでもない。
【００１９】
図１から図４は、本発明の一実施例を示し、図１は、本実施例における記録再生装置の構成を示すブロック図である。図２は、記録再生装置の、管理データであるインデックス作成時の動作を示すフローチャート図であり、図３及び図４は、作成されたインデックスの使用方法を示す説明図である。
【００２０】
本実施例における記録再生装置の構成を、図１に基づいて説明する。１は記録再生装置である。２は、両面記録可能なディスク状の記録媒体である。３は記録再生装置に図示しないアンテナなどにより得られる放送電波を受信するチューナである。４は記録媒体２若しくはチューナ３から送られる映像音声信号を処理し、図示しない表示部若しくは表示装置に映像音声を表示させるための映像音声処理部である。５は記録再生装置１の動作の制御を行うマイコンであり、記録媒体２に記録される管理データの読み込み及び書き込みを行う管理データ入出力処理部５１、記録媒体に記録するインデックスの作成を行う管理データ作成部５２、管理データ入出力処理部５１で取得した管理データを解読する解読処理部５３マイコン５の各処理部を制御する制御部５４、図示しない操作手段やリモコンなどによる操作信号を処理を行う選択手段であるキー処理部５５から構成される。６はメモリー部であり、管理データの読み込みや作成の際の、データの一時退避などに使用される。メモリー部６は、マイコン５内部に備える図示しないメモリー領域を使用するとしても良い。７はリモコンであり、キー処理部５５を通してユーザが記録再生装置１の操作を行うための操作手段である。上述の管理データとは、記録媒体に記録されるデータのおおよその内容を判別するためのデータであり、所謂インデックスとして使われ、その内容は、ディスク名・録画タイトル数・タイトル（番組）名・録画日時・ファイル数・ファイルサイズ・フォーマットの種類等を含むものであり、これら複数の情報からキー処理部５５により、適宜選択可能なものである。
【００２１】
次に、記録再生装置１のインデックス作成時の動作手順を、図２に基づいて説明する。インデックスの作成をユーザが記録再生装置１に対して指示する（Ｓ１００１）。以降、この時点での記録媒体２であるディスクの読み取り中の面を表面とし、逆を裏面とする。表面のディスク情報をメモリー６にコピーする（Ｓ１００２）。この時点で、記録媒体２の表面が書き込み可能かどうかを判別する（Ｓ１００３）。書き込み不可の場合は、インデックスの作成を中止する。書き込み可能な場合は、記録媒体２の裏面の情報を取得するためにユーザにディスクの取り出し及び反転を要求する（Ｓ１００４）。記録媒体２の取り出し及び反転が確認されたら、裏面に書き込みが可能かどうかを判別する（Ｓ１００５）。書き込み不可の場合はインデックス作成を中止する（Ｓ１０１２）。書き込み可能な場合は、裏面のディスク情報をメモリー６にコピーする（Ｓ１００６）。メモリー６に記憶された表面及び裏面のディスク情報を統合したインデックスを、管理データ作成部５２により作成する（Ｓ１００７）。統合インデックスをメモリー６上にコピーする（Ｓ１００８）。統合インデックスを裏面へ書き込む。（Ｓ１００９）。記録媒体２を反転させ、表面に書き込む準備をユーザに要求する（Ｓ１０１０）。ディスクの表面に書き込む準備が完了したら、メモリー６上の統合インデックスを表面に書き込む（Ｓ１０１１）。これで、表裏に各々の面及び他方の面を統合したインデックスを記録したディスクの作成が完了となる。
【００２２】
表裏の統合インデックスの作成例を、図３及び図４に基づいて説明する。図３は、本実施例における記録再生装置１により作成した管理データであるインデックスを表示した状態の、表示部若しくは表示装置の画面を示す説明図である。情報として、ディスク名、録画済の放送番組の放映日時、番組タイトル、番組の１シーンを示す画像、放映時間及びチャンネルを表示している。この放送番組の一覧を記録再生装置１のリモコン７等で操作し、決定を押すことで当該放送番組の再生を行う。図示しないリモコン７の特定のキーを押すことにより、図４に示すように、表面情報の表示スペースに重畳させるように裏面情報を表示する。裏面情報として、ディスク名及び番組タイトルを表示している。但し、裏面の情報なので、カーソルにより選択し決定を押しても再生はできない。
【００２３】
以上のような記録再生装置１において、表面及び裏面を統合した管理データを作成し両面に記録することにより、ユーザが例えば表面のインデックスを表示している際に、ディスクを入れ替えることなく裏面の管理データを閲覧することが可能となり、ディスク入れ替えの手間がかからず、利便性が向上する。
【００２４】
以上、本発明の実施例を詳述したが、本発明は前記実施例に限定されるものではなく、本発明の要旨の範囲内で種々の変形実施が可能である。例えば、裏面情報として、ディスク名及び番組タイトルを表示するとしたが、これに限定せずに、ユーザが所望の表示項目を選択するようにして、より詳細な情報を表示するようにしても何ら問題は無い。
【図面の簡単な説明】
【００２５】
【図１】本発明の実施例における、記録再生装置の構成を示すブロック図である。
【図２】同上、管理データ両面統一記録機能の動作を示すフローチャート図である。
【図３】同上、管理データ両面統一機能により作成されたインデックスを示す説明図である。
【図４】同上、管理データ両面統一機能により作成されたインデックスの裏面の情報を表示した状態を示す説明図である。
【符号の説明】
【００２６】
１    記録再生装置
２    記録媒体
５    マイコン
５１  管理データ入出力処理部（管理データ入力手段／管理データ出力手段）
５２  管理データ作成部（管理データ作成手段）
５５  キー処理部（選択手段）
【図１】
2007109348.tif 000003
【図２】
2007109348.tif 000004
【図３】
2007109348.tif 000005
【図４】
2007109348.tif 000006